(57)【要約】【課題】会議画像の決定に際し、会議参加者の意見を反映させることが可能な情報処理装置、会議支援システム、会議支援方法、及び画像形成装置を提供する。【解決手段】情報処理装置Ｘは、会議の内容を表す会議画像を決定する。情報処理装置Ｘは、画像選出部１０と、第１通信部３０と、画像決定部２０とを備える。画像選出部１０は、前記会議の内容を表す複数の候補画像Ｍを選出する。第１通信部３０は、複数の候補画像Ｍに対する投票の結果を示す情報を受信する。画像決定部２０は、前記投票の結果に基づいて、複数の候補画像Ｍのうちの少なくとも１つを前記会議画像に決定する。【選択図】図１
2019095902.tif 000002
【特許請求の範囲】
【請求項１】
会議の内容を表す会議画像を決定する情報処理装置であって、
前記会議の内容を表す複数の候補画像を選出する画像選出部と、
前記複数の候補画像に対する投票の結果を示す情報を受信する第１通信部と、
前記投票の結果に基づいて、前記複数の候補画像のうちの少なくとも１つを前記会議画像に決定する画像決定部と
を備える、情報処理装置。
【請求項２】
前記画像選出部は、
検索キーの入力を受け付ける検索キー入力部と、
複数の記憶画像の各々に対し、１つ又は複数の検索キーを対応付けた検索情報を記憶する記憶部と、
前記検索キー入力部に入力された検索キーと、前記検索情報とに基づいて、前記複数の記憶画像のうちから前記複数の候補画像を選出する選出部と
を有する、請求項１に記載の情報処理装置。
【請求項３】
前記画像決定部は、
前記投票の結果に基づいて、前記複数の候補画像の得票数のランキングを算出する算出部と、
前記ランキングに基づいて、前記複数の候補画像のうちから前記会議画像を決定する決定部と
を有する、請求項１又は請求項２に記載の情報処理装置。
【請求項４】
請求項１から請求項３のいずれか１項に記載の情報処理装置と、
前記複数の候補画像に対する投票を行うための投票部と
を備える、会議支援システム。
【請求項５】
前記投票部は、
投票受付画面、及び投票入力画面を表示可能な表示部と、
前記表示部に表示される画面を前記投票受付画面から前記投票入力画面に切り替えるための切替操作部と
を有し、
前記投票受付画面には、前記投票を実施中であることを示す情報を表す画像が表示され、
前記投票入力画面には、前記複数の候補画像が表示される、請求項４に記載の会議支援システム。
【請求項６】
前記画像決定部は、算出部を有し、
前記投票部は、
前記画像選出部の選出した前記複数の候補画像を示す情報を受信する第２通信部と、
前記複数の候補画像に対する投票の入力を受け付ける投票操作部と
をさらに有し、
前記第２通信部は、前記投票操作部を介して入力された前記投票の結果を示す情報を前記第１通信部に送信し、
前記算出部は、前記候補画像毎に前記投票の結果から得られる得票数を算出し、前記得票数に基づいて前記複数の候補画像の得票数のランキングを算出する、請求項５に記載の会議支援システム。
【請求項７】
コンピューターを用いて構築された会議支援システムにより、会議の際に表示される会議画像を決定する会議支援方法であって、
前記コンピューターが備える画像選出部が、複数の候補画像を選出する選出工程と、
前記コンピューターが備える投票操作部が、前記複数の候補画像に対する投票の入力を受け付ける投票工程と、
前記コンピューターが備える画像決定部が、前記投票の結果に基づいて、前記複数の候補画像のうちの少なくとも１つを前記会議画像に決定する決定工程と
を備える、会議支援方法。
【請求項８】
複数の会議参加者、及び／又は、複数の会議傍聴者が、前記複数の候補画像に対する投票を行う、請求項７に記載の会議支援方法。
【請求項９】
請求項１から請求項３のいずれか１項に記載の情報処理装置と、
前記会議画像をシートに形成する画像形成部と
を備える、画像形成装置。
【発明の詳細な説明】
【技術分野】
【０００１】
本発明は、情報処理装置、会議支援システム、会議支援方法、及び画像形成装置に関する。
【背景技術】
【０００２】
特許文献１に記載の画像表示装置は、ユーザー（会議参加者）が会話音声を発すると、ユーザーの会話音声の入力を受け付ける。画像表示装置は、入力された会話音声を認識して文字データに変換し、変換した文字データから所定の条件を満たすキーワードを抽出する。画像表示装置は、予め定められた複数の画像の中から、抽出されたキーワードに応じた画像を検索し、検索された画像（会議画像）を表示部に表示する。
【先行技術文献】
【特許文献】
【０００３】
【特許文献１】特開２０１７−０１６２９６号公報
【発明の概要】
【発明が解決しようとする課題】
【０００４】
しかし、画像表示装置がキーワードに応じた画像を検索し、検索された画像を会議画像に決定する。従って、会議画像の決定に際し、会議参加者の意見が反映されない。
【０００５】
本発明は、会議画像の決定に際し、会議参加者の意見を反映させることが可能な情報処理装置、会議支援システム、会議支援方法、及び画像形成装置を提供することを目的としている。
【課題を解決するための手段】
【０００６】
本発明の一局面によれば、情報処理装置は、会議の内容を表す会議画像を決定する。情報処理装置は、画像選出部と、第１通信部と、画像決定部とを備える。画像選出部は、前記会議の内容を表す複数の候補画像を選出する。第１通信部は、前記複数の候補画像に対する投票の結果を示す情報を受信する。画像決定部は、前記投票の結果に基づいて、前記複数の候補画像のうちの少なくとも１つを前記会議画像に決定する。
【０００７】
本発明の他の一局面によれば、会議支援システムは、上記情報処理装置と、投票部とを備える。投票部は、前記複数の候補画像に対する投票を行う。
【０００８】
本発明の他の一局面によれば、会議支援方法は、会議の際に表示される会議画像を決定する。会議支援方法は、選出工程と、投票工程と、決定工程とを備える。選出工程は、複数の候補画像を選出する。投票工程は、前記複数の候補画像に対する投票を行う。決定工程は、前記投票の結果に基づいて、前記複数の候補画像のうちの少なくとも１つを前記会議画像に決定する。
【０００９】
本発明の他の一局面によれば、画像形成装置は、上記情報処理装置と、画像形成部とを備える。画像形成部は、前記会議画像をシートに形成する。
【発明の効果】
【００１０】
本発明によれば、会議画像の決定に際し、会議参加者の意見を反映させることができる。
【図面の簡単な説明】
【００１１】
【図１】本発明の実施形態に係る会議支援システムのブロック図である。
【図２】（ａ）投票受付画面を示す図である。（ｂ）投票入力画面を示す図である。
【図３】会議支援システムが会議画像を決定する手順を示すフロー図である。
【図４】画像形成装置を示す模式的断面図である。
【発明を実施するための形態】
【００１２】
本発明の実施形態について、図面を参照しながら説明する。なお、図中、同一又は相当部分については同一の参照符号を付して説明を繰り返さない。
【００１３】
［第１実施形態］
図１を参照して、本発明の第１実施形態を示す会議支援システム１について説明する。図１は、会議支援システム１のブロック図である。
【００１４】
図１に示すように、会議支援システム１は、例えば、グラフィックレコーディングを採用した会議に対し用いられる。グラフィックレコーディングは、会議参加者の会議中での発言、及び議論のような会議の内容をイラスト、及び／又は図式のような画像で表し、会議の内容を表す画像を会議参加者に対して表示した状態で会議を行う会議の手法を示す。会議の内容を表す画像を、会議画像と記載する。会議画像は、例えば、会議の議事録として記録される。また、会議参加者が会議画像を視認可能な状態で、会議が行われる。従って、会議参加者は、会議画像を視認し、会議の内容を振り返ることが可能になる。また、会議の内容が会議画像により可視化されると、現場の雰囲気のような文字では表現することが困難なことも会議画像を介して表すことが可能になる。従って、会議参加者が会議の内容の理解を深めることができる。その結果、例えば、隠れた問題点を浮き彫りにして、議論の質を向上させることが可能になる。
【００１５】
会議支援システム１は、会議画像を決定する。第１実施形態では、会議支援システム１は、会議参加者の投票により会議画像を決定する。
【００１６】
会議支援システム１は、情報処理装置Ｘを備える。
情報処理装置Ｘは、画像選出部１０と、第１通信部３０とを備える。
【００１７】
画像選出部１０は、複数の候補画像Ｍを選出する。複数の候補画像Ｍの各々は、会議の内容を表す画像である。複数の候補画像Ｍの各々は、会議画像の候補の画像を示す。会議参加者は複数の候補画像Ｍに対して投票を行い、複数の候補画像Ｍのうちから会議画像を決定する。画像選出部１０は、具体的には、検索キー入力部１１と、第１記憶部（記憶部）１２と、選出部１３とを有する。
【００１８】
検索キー入力部１１は、例えば、タッチパネル、マウス、キーボード、及び／又は、電子黒板である。検索キー入力部１１は、検索キーの入力を受け付ける。検索キーは、例えば、キーワードのような文字、文献名、ＵＲＬ、文章、及び／又は、画像である。つまり、検索キーは、文字に限定されない。また、検索キーが画像の場合、例えば、電子黒板を介して検索キーが入力される。また、画像には、単一の画像、複数の画像の組み合わせ、未完成の画像、複数の画像の間に配置される矢印のような複数の画像間の関係を示す情報、及び、複数の画像をグループ分けしたことを示す情報を示す。
【００１９】
また、検索キー入力部１１を、音声入力装置で構成してもよい。音声入力装置は、マイクのような入力部と、処理部とを含む。処理部は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。処理部のプロセッサーは、所定の音声入力プログラムを実行することにより、入力部を制御する。処理部は、入力部を介して入力された会議の音声を、文字データ（テキストデータ）に変換する。そして、処理部は、文字データからキーワードを抽出する。処理部は、例えば、形態素解析を用いてキーワードを抽出する。そして、処理部の抽出したキーワードが、検索キーになる。従って、検索キー入力部１１を、音声入力装置で構成することで、会議の音声から検索キーを抽出する作業を、人が介入することなく、円滑に行うことが可能になる。
【００２０】
第１記憶部１２は、第１記憶装置を含む。第１記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、選出部１３によって実行される種々のコンピュータープログラムを記憶する。
【００２１】
第１記憶部１２は、検索情報１２ａを記憶する。検索情報１２ａは、複数の記憶画像の各々に対し、１つの又は複数の検索キーを対応付けた情報を示す。言い換えれば、検索情報１２ａにおいて、１つ検索キーに対し、複数の記憶画像が対応付けられていてもよい。複数の記憶画像は、例えば、会議情報に含まれる画像、及び／又は、会議情報から予め想定される画像を示す。会議情報は、会議で議論される予定のテーマが含まれた情報を示す。会議情報は、例えば、会議資料に含まれる情報である。例えば、ファシリテーターが、検索情報１２ａを予め用意し、第１記憶部１２に記憶する。なお、記憶画像には、会議参加者の写真、及び／又は、会議参加者のアバーターを示す画像が含まれていてもよい。
【００２２】
選出部１３は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。選出部１３は、画像選出部１０の各要素、及び第１通信部３０を制御する。具体的には、選出部１３のプロセッサーは、第１記憶装置に記憶されたコンピュータープログラムを実行することにより、検索キー入力部１１と、第１記憶部１２と、第１通信部３０とを制御する。
【００２３】
検索キー入力部１１に文章が入力された場合、選出部１３は、文章からキーワードを抽出する。そして、選出部１３の抽出したキーワードが、検索キーになる。つまり、検索キー入力部１１は、文字の入力のみならず、文章の入力も受け付ける。例えば、検索キー入力部１１に文章が入力されると、選出部１３は、まず、検索キー入力部１１に入力された文章を形態素解析する。形態素解析とは、文章を意味のある最小単位の単語（形態素）に分割し、所定のデータベースに基づいて、分割された単語の品詞を判別することである。そして、選出部１３は、所定の品詞に判別された単語をキーワードとして抽出する。なお、ファシリテーターは、所定の品詞を任意に設定できる。
【００２４】
選出部１３は、検索キー入力部１１に入力された検索キーと、検索情報１２ａとに基づいて、複数の記憶画像のうちから複数の候補画像Ｍを選出する。例えば、選出部１３は、検索情報１２ａにおいて、検索キー入力部１１に入力された検索キーに対応付けられている記憶画像を、候補画像Ｍに選出する。また、検索キー入力部１１に入力される検索キーは、単数の検索キーでもよく、複数の検索キーでもよい。複数の候補画像Ｍは、会議参加者による投票の対象となる画像である。
【００２５】
なお、選出部１３は、例えば、検索キー入力部１１に入力された検索キーと、複数の記憶画像の各々の検索キーとを比較する。そして、選出部１３は、検索キー入力部１１に入力された検索キーに対し、関連性の高い検索キーに対応付けられた記憶画像を候補画像Ｍに選出してもよい。また、複数の記憶画像のうち、スカラー型評価関数による評点の高い上位の所定数の記憶画像を候補画像Ｍに選出してもよい。また、複数の記憶画像のうち、各要素が高い評価を得た記憶画像を候補画像Ｍに選出してもよい。各要素は、所定の評価観点に基づくベクター型評価関数の各要素を示す。ベクター要素には、例えば、具体的、抽象的、及び感情的が含まれる。なお、選出部１３が決定した複数の候補画像Ｍのうちから、ファシリテーターが２つ以上の候補画像Ｍを選び、ファシリテーターの選んだ２つ以上の候補画像Ｍを、会議参加者による投票の対象となる画像としてもよい。
【００２６】
会議支援システム１は、複数の投票部Ｙをさらに備える。
【００２７】
複数の投票部Ｙの各々は、複数の候補画像Ｍに対する投票を行うための操作部である。複数の投票部Ｙは、それぞれ、複数の会議参加者により所持される。複数の会議参加者は、それぞれ、複数の投票部Ｙを操作して、複数の候補画像Ｍに対する投票を行う。
【００２８】
複数の投票部Ｙの各々は、例えば、スマートフォン、及びＰＣ（Ｐｅｒｓｏｎａｌ  Ｃｏｍｐｕｔｅｒ）のような端末である。
【００２９】
第１実施形態では、複数の投票部Ｙは、第１投票部Ｙ１〜第Ｎ投票部ＹＮを含む。Ｎは、２以上の整数である。第１投票部Ｙ１〜第Ｎ投票部ＹＮは、互いに同様の構成を有する。以下、第１投票部Ｙ１について説明する。
【００３０】
第１投票部Ｙ１は、表示部４１と、切替操作部４２と、投票操作部４３と、第２記憶部４４と、制御部４５と、第２通信部４６とを有する。
【００３１】
表示部４１は、例えば、ＬＣＤ（Ｌｉｑｕｉｄ  Ｃｒｙｓｔａｌ  Ｄｉｓｐｌａｙ）、又はＥＬＤ（Ｅｌｅｃｔｒｏ  Ｌｕｍｉｎｅｓｃｅｎｃｅ  Ｄｉｓｐｌａｙ）のようなディスプレーである。表示部４１は、種々の情報を表示する。表示部４１は、タッチパネルであってもよい。
【００３２】
表示部４１は、投票受付画面Ｇ１、及び投票入力画面Ｇ２を表示可能である。
【００３３】
次に、図２（ａ）、及び図２（ｂ）を参照して、表示部４１について説明する。図２（ａ）は、投票受付画面Ｇ１を示す図である。図２（ｂ）は、投票入力画面Ｇ２を示す図である。
【００３４】
図２（ａ）に示すように、投票受付画面Ｇ１には、投票を実施中であることを示す情報を表す画像が表示される。第１実施形態では、投票受付画面Ｇ１には、「Ｎｏｗ  Ｖｏｔｉｎｇ！」と表示される。
【００３５】
図２（ｂ）に示すように、投票入力画面Ｇ２には、複数の候補画像Ｍが表示される。また、第１実施形態では、選出部１３は、４つの候補画像Ｍ（第１候補画像Ｍ１〜第４候補画像Ｍ４）を選択する。従って、投票入力画面Ｇ２には、第１候補画像Ｍ１〜第４候補画像Ｍ４が表示される。
【００３６】
図１から図２（ｂ）に示すように、切替操作部４２は、表示部４１に表示される画面を投票受付画面Ｇ１から投票入力画面Ｇ２に切り替えるための操作部である。切替操作部４２は、例えば、マウス、及びタッチパネルのような入力装置である。切替操作部４２がマウスの場合、例えば、会議参加者が投票受付画面Ｇ１をマウスでクリックすると、投票受付画面Ｇ１が投票入力画面Ｇ２に切り替わる。また、切替操作部４２がタッチパネルの場合、会議参加者が投票受付画面Ｇ１をタッチすると、投票受付画面Ｇ１が投票入力画面Ｇ２に切り替わる。投票受付画面Ｇ１が投票入力画面Ｇ２に切り替わるとは、投票受付画面Ｇ１が消えて、投票受付画面Ｇ１が表示されていた場所に投票入力画面Ｇ２が表示されることを示す。なお、切替操作部４２をキーボード、及び／又は、音声入力装置で構成し、キーボード、及び／又は、音声入力装置を介して表示部４１に表示される画面を投票受付画面Ｇ１から投票入力画面Ｇ２に切り替えるための操作が行われてもよい。音声入力装置は、例えば、機器に対する情報の入力を音声で行う装置を示す。音声入力装置は、例えば、マイクを含む。
【００３７】
投票操作部４３は、複数の候補画像Ｍに対する投票の入力を受け付ける操作部である。複数の候補画像Ｍに対する投票の入力は、複数の候補画像Ｍのうちから所望の候補画像Ｍに投票することを示す。詳細には、複数の候補画像Ｍに対する投票の入力は、複数の候補画像Ｍのうちから所望の候補画像Ｍを会議参加者が選択し、所望の候補画像Ｍを示す情報を入力することを示す。所望の候補画像Ｍは、複数の候補画像Ｍのうち、会議参加者が会議画像として使用することを希望する単数又は２つ以上の画像を示す。
【００３８】
第１実施形態では、投票操作部４３は、投票入力画面Ｇ２が表示されている状態で、複数の候補画像Ｍに対する投票の入力を受け付ける。投票操作部４３は、例えば、マウス、及びタッチパネルのような入力装置である。投票操作部４３がマウスの場合、例えば、会議参加者が投票入力画面Ｇ２に表示される第１候補画像Ｍ１〜第４候補画像Ｍ４のうち、所望の候補画像Ｍをマウスでクリックすることで、所望の候補画像Ｍに投票する。また、投票操作部４３がタッチパネルの場合、投票入力画面Ｇ２に表示される第１候補画像Ｍ１〜第４候補画像Ｍ４のうち、所望の候補画像Ｍを会議参加者がタッチすることで、所望の候補画像Ｍに投票する。
【００３９】
なお、会議参加者は、複数の候補画像Ｍのうち、単数の候補画像Ｍに投票してもよく、２つ以上の候補画像Ｍに投票してもよい。また、投票操作部４３をキーボード、及び／又は、音声入力装置で構成し、キーボード、及び／又は、音声入力装置を介して複数の候補画像Ｍに対する投票の入力が行われてもよい。また、投票操作部４３と切替操作部４２とを単一の操作部で構成し、投票操作部４３が切替操作部４２として機能してもよい。
【００４０】
第２記憶部４４は、第２記憶装置を含む。第２記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部４５によって実行される種々のコンピュータープログラムを記憶する。
【００４１】
制御部４５は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部４５は、第１投票部Ｙ１の各要素を制御する。具体的には、制御部４５のプロセッサーは、第２記憶装置に記憶されたコンピュータープログラムを実行することにより、表示部４１と、切替操作部４２と、投票操作部４３と、第２記憶部４４とを制御する。
【００４２】
情報処理装置Ｘの第１通信部３０と、複数の投票部Ｙの各々の第２通信部４６とについて説明する。
【００４３】
情報処理装置Ｘは、複数の投票部Ｙの各々に無線又は有線で接続される。詳細には、情報処理装置Ｘの第１通信部３０は、複数の投票部Ｙの各々の第２通信部４６に無線又は有線で接続される。従って、情報処理装置Ｘと複数の投票部Ｙの各々との間で各種の情報を送受信することができる。例えば、情報処理装置Ｘが、複数の投票部Ｙの各々に有線で接続される場合、第１通信部３０と第２通信部４６との各々は、送受信回路と、配線とを含む。そして、情報処理装置Ｘと、複数の投票部Ｙの各々とは、配線を介して各種の情報を互いに伝達する。また、情報処理装置Ｘが、複数の投票部Ｙの各々に無線で接続される場合、第１通信部３０と第２通信部４６との各々は、送受信回路と、アンテナとを含む。そして、情報処理装置Ｘと、複数の投票部Ｙの各々とは、アンテナ、及びＬＡＮ（Ｌｏｃａｌ  Ａｒｅａ  Ｎｅｔｗｏｒｋ）のようなネットワーク網を介して各種の情報を互いに伝達する。
【００４４】
情報処理装置Ｘは、画像決定部２０をさらに備える。
【００４５】
画像決定部２０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。画像決定部２０は、第１通信部３０を制御する。具体的には、画像決定部２０のプロセッサーは、所定のコンピュータープログラムを実行することにより、第１通信部３０を制御する。画像決定部２０は、算出部２１と、決定部２２とを有する。具体的には、画像決定部２０のプロセッサーが、所定のコンピュータープログラムを実行することにより、算出部２１、及び決定部２２として機能する。なお、画像決定部２０は、画像選出部１０の選出部１３と一体であってもよい。つまり、画像決定部２０が、選出部１３として機能してもよい。また、所定のコンピュータープログラムは、例えば、第１記憶部１２に記憶される。
【００４６】
算出部２１は、複数の候補画像Ｍに対する投票の結果に基づいて、複数の候補画像Ｍの得票数のランキングを算出する。具体的には、算出部２１は、投票の入力が行われた投票部Ｙから、複数の候補画像Ｍのうち、投票された候補画像Ｍを示す情報を受信する。そして、算出部２１は、投票の結果から得られる得票数を候補画像Ｍ毎に算出する。そして、算出部２１は、候補画像Ｍ毎に算出した得票数に基づいて、複数の候補画像Ｍの得票数のランキングを算出する。
【００４７】
決定部２２は、複数の候補画像Ｍの得票数のランキングに基づいて、複数の候補画像Ｍのうちから会議画像を決定する。決定部２２は、例えば、複数の候補画像Ｍのうち、ランキングが１位の候補画像Ｍを、会議画像に決定する。なお、決定部２２は、複数の候補画像Ｍのうち、ランキングが上位の２つ以上の候補画像Ｍを、会議画像に決定してもよい。つまり、決定部２２は、複数の候補画像Ｍの得票数のランキングに基づいて、複数の候補画像Ｍのうちから、単数、又は、複数の会議画像を決定する。
【００４８】
会議支援システム１は、会議画像表示装置Ｚをさらに備える。
【００４９】
会議画像表示装置Ｚは、例えば、ＬＣＤ（Ｌｉｑｕｉｄ  Ｃｒｙｓｔａｌ  Ｄｉｓｐｌａｙ）、又はＥＬＤ（Ｅｌｅｃｔｒｏ  Ｌｕｍｉｎｅｓｃｅｎｃｅ  Ｄｉｓｐｌａｙ）のようなディスプレーである。会議画像表示装置Ｚは、電子黒板でもよい。会議画像表示装置Ｚは、会議画像を表示する。会議画像表示装置Ｚは、会議参加者が視認可能な場所に配置される。従って、会議参加者は、会議画像表示装置Ｚの会議画像を確認しつつ会議を行うことが可能である。会議画像表示装置Ｚは、決定部２２に接続される。会議画像表示装置Ｚは、決定部２２から会議画像を示す情報を受信する。そして、会議画像表示装置Ｚは、会議画像を表示する。
【００５０】
以上、図１から図２（ｂ）を参照して説明したように、画像決定部２０は、投票の結果に基づいて、複数の候補画像Ｍのうちの少なくとも１つを会議画像に決定する。従って、会議参加者が投票を行うことで、会議画像の決定に際し、会議参加者の意見を反映させることができる。
【００５１】
また、複数の候補画像Ｍが会議画像として適格か否かが、投票により判定される。その結果、会議内容を反映した画像を会議画像に決定することができる。
【００５２】
また、選出部１３は、検索キーと、検索情報１２ａとに基づいて、複数の記憶画像のうちから複数の候補画像Ｍを選出する。従って、複数の候補画像Ｍに選出される画像を、会議内容に関連のある画像に制限することができる。その結果、複数の候補画像Ｍのうちから会議画像を決定する処理を円滑に行うことができる。
【００５３】
また、算出部２１は、複数の候補画像Ｍに対する投票の結果に基づいて、複数の候補画像Ｍの得票数のランキングを算出する。そして、決定部２２は、ランキングに基づいて、複数の候補画像Ｍのうちから会議画像を決定する。従って、会議参加者の意見を効果的に反映させて会議画像を決定することができる。
【００５４】
また、切替操作部４２により、表示部４１に表示される画面を、投票受付画面Ｇ１と投票入力画面Ｇ２との間で切り替え可能である。従って、会議参加者に投票中であることを知らせることができると共に、会議参加者の投票の入力を受け付けることができる。
【００５５】
次に、図３を参照して、会議支援システム１が会議画像を決定する手順について説明する。図３は、会議支援システム１が会議画像を決定する手順を示すフロー図である。
【００５６】
図３に示すように、ステップＳ１において、検索キー入力部１１が、単数、又は複数の検索キーの入力を受け付ける。第１実施形態では、ファシリテーターが検索キー入力部１１に単数、又は複数の検索キーを入力する。また、第１実施形態では、ファシリテーターは、会議の進行中、又は、会議を一時中断して、検索キーの入力を行う。また、第１実施形態では、検索キー入力部１１に入力される検索キーは、ファシリテーターの主観で決定される。ファシリテーターは、例えば、会議で行われた議論の内容に基づいて検索キーを決定する。ファシリテーターは、例えば、会議で主に使用された単語を検索キーに決定する。
【００５７】
ステップＳ２において、画像選出部１０が、複数の候補画像Ｍを選出する。詳細には、選出部１３が、検索キー入力部１１に入力された検索キーと、検索情報１２ａとに基づいて、複数の記憶画像のうちから複数の候補画像Ｍを選出する。
【００５８】
ステップＳ３において、情報処理装置Ｘは、複数の投票部Ｙの各々に、複数の候補画像Ｍを示す情報を送信する。詳細には、情報処理装置Ｘの第１通信部３０が、複数の投票部Ｙの各々の第２通信部４６に、複数の候補画像Ｍを示す情報を送信するように、選出部１３が第１通信部３０を制御する。その結果、複数の投票部Ｙの各々が、複数の候補画像Ｍを示す情報を取得する。
【００５９】
ステップＳ４において、複数の投票部Ｙの各々において、第２通信部４６が複数の候補画像Ｍを示す情報を受信すると、表示部４１が投票受付画面Ｇ１を表示する。詳細には、複数の投票部Ｙの各々において、第２通信部４６が複数の候補画像Ｍを示す情報を受信すると、表示部４１が投票受付画面Ｇ１を表示するように、制御部４５が表示部４１を制御する。
【００６０】
ステップＳ５において、切替操作部４２により所定の操作が行われると、投票受付画面Ｇ１が投票入力画面Ｇ２に切り替わるように、制御部４５が表示部４１を制御する。つまり、会議参加者は、切替操作部４２を操作して、投票受付画面Ｇ１を投票入力画面Ｇ２に切り替える。
【００６１】
ステップＳ６において、投票操作部４３が、複数の候補画像Ｍに対する投票の入力を受け付ける。つまり、複数の候補画像Ｍに対し投票が行われる。会議参加者は、所望の候補画像Ｍに投票する。
【００６２】
ステップＳ７において、複数の投票部Ｙのうち、投票の入力が行われた投票部Ｙは、投票の結果を示す情報を情報処理装置Ｘに送信する。詳細には、投票の入力が行われた投票部Ｙの第２通信部４６が、投票の結果を示す情報を第１通信部（第１受信部）３０に送信するように、制御部４５が第２通信部４６を制御する。その結果、第１通信部３０は、複数の候補画像Ｍに対する投票の結果を示す情報を受信する。投票の結果を示す情報は、言い換えれば、複数の候補画像Ｍのうち、投票された候補画像Ｍを示す情報である。
【００６３】
ステップＳ８において、投票部Ｙは、複数の候補画像Ｍに対する投票を締め切る。詳細には、投票部Ｙの制御部４５が、複数の候補画像Ｍに対する投票を締め切る。例えば、表示部４１に投票受付画面Ｇ１が表示されてから所定時間が経過すると、投票が締め切られる。この場合、例えば、表示部４１には、複数の候補画像Ｍに対する投票が締め切られたことを示す終了情報が表示される。従って、表示部４１に投票受付画面Ｇ１が表示されてから所定時間が経過すると、表示部４１が終了情報を表示するように、制御部４５が表示部４１を制御する。制御部４５は、例えば、タイマーの機能を含み、タイマーにより所定時間をカウントする。なお、表示部４１に投票受付画面Ｇ１が表示されてから所定時間が経過した場合、又は、全ての投票部Ｙから投票の入力が行われた場合に、投票が締め切られてもよい。また、ファシリテーターが適宜の操作部を操作して、手動で複数の候補画像Ｍに対する投票を締め切ってもよい。つまり、複数の候補画像Ｍに対する投票を締め切るタイミングをファシリテーターが任意に決定してもよい。
【００６４】
ステップＳ９において、画像決定部２０の算出部２１は、候補画像Ｍ毎に投票の結果から得られる得票数を算出する。そして、算出部２１は、得票数に基づいて、複数の候補画像Ｍの得票数のランキングを算出する。
【００６５】
ステップＳ１０において、決定部２２は、複数の候補画像Ｍの得票数のランキングに基づいて、複数の候補画像Ｍのうちから会議画像を決定する。
【００６６】
ステップＳ１１において、会議画像表示装置Ｚが会議画像を表示するように、決定部２２が会議画像表示装置Ｚを制御する。その結果、会議画像表示装置Ｚが、会議画像を表示する。会議画像表示装置Ｚが会議画像を表示すると、会議参加者は、会議画像表示装置Ｚを介して会議画像を視認し、会議の内容の理解を深めつつ、会議を進行させることが可能になる。
【００６７】
［第２実施形態］
図４を参照して、画像形成装置２について説明する。図４は、画像形成装置２を示す模式的断面図である。画像形成装置２は、例えば、複写機、プリンター、ファクシミリ、又は複合機である。複合機は、例えば、複写機、プリンター、及びファクシミリのうち少なくとも２つの機器を備える。
【００６８】
図４に示すように、画像形成装置２は、制御装置５０と、記憶装置６０と、入力部７０と、原稿搬送部１００と、画像読取部１１０と、収納部１２０と、搬送部１３０と、画像形成部１４０と、定着部１５０と、排出部１６０とを備える。シートＴは、用紙搬送方向に沿って画像形成装置２の内部を搬送される。
【００６９】
制御装置５０は、第１実施形態に係る選出部１３、及び画像決定部２０として機能する。記憶装置６０は、第１実施形態に係る第１記憶部１２として機能する。入力部７０は、第１実施形態に係る検索キー入力部１１として機能する。従って、画像形成装置２に備えられる制御装置５０、記憶装置６０、及び入力部７０は、第１実施形態に係る情報処理装置Ｘを構成する。
【００７０】
入力部７０は、表示部７１と、操作キー群７２とを含む。入力部７０は、画像形成装置２に対するユーザーからの指示を受け付ける。つまり、ユーザーは、入力部７０を介して画像形成装置２にジョブを入力する。表示部７１は、タッチパネルであってもよい。
【００７１】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００７２】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。画像形成部１４０は、会議画像をシートＴに形成する。
【００７３】
画像の形成されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００７４】
記憶装置６０は、第３記憶装置を含む。第３記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御装置５０によって実行される種々のコンピュータープログラムを記憶する。
【００７５】
制御装置５０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置５０は、画像形成装置２の各要素を制御する。具体的には、制御装置５０のプロセッサーは、記憶装置６０に記憶されたコンピュータープログラムを実行することにより、原稿搬送部１００、画像読取部１１０、収納部１２０、搬送部１３０、画像形成部１４０、及び定着部１５０を制御する。
【００７６】
以上、図４を参照して説明したように、画像形成装置２は、第１実施形態に係る情報処理装置Ｘとして機能する。従って、第１実施形態と同様に、会議画像の決定に際し、会議参加者の意見を反映させることができる。
【００７７】
以上、図面（図１〜図４）を参照しながら本発明の実施形態について説明した。但し、本発明は、上記の実施形態に限られるものではなく、その要旨を逸脱しない範囲で種々の態様において実施することが可能である（例えば、（１）〜（７））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７８】
（１）第１実施形態では、会議画像が会議画像表示装置Ｚに表示される。しかし、本発明はこれに限定されない。会議画像表示装置Ｚは、会議の参加者が視認可能な場所に表示されればよい。例えば、会議画像が、投票部Ｙの表示部４１に表示されてもよい。詳細には、会議画像が、複数の投票部Ｙの各々の表示部４１に表示される。この場合、会議画像表示装置Ｚを設けなくてもよい。その結果、全ての会議参加者が視認できるような大型の会議画像表示装置Ｚを設けなくてもよく、会議支援システム１をシンプルに構成することが可能になる。また、会議画像をシートＴに形成し、会議画像の形成されたシートＴを会議参加者に配布してもよい。この場合、例えば、第２実施形態の画像形成装置２がシートＴに会議画像を形成する。この場合も、会議画像表示装置Ｚを設けなくてもよい。
【００７９】
また、図２（ａ）、及び図２（ｂ）に示すように、複数の投票部Ｙの各々の表示部４１に会議画像を表示する場合、表示部４１に会議画像を表示するための会議画像表示画面Ｇ３を設けてもよい。さらに、会議画像表示画面Ｇ３は、投票受付画面Ｇ１又は投票入力画面Ｇ２と併存させてもよい。つまり、会議画像表示画面Ｇ３が、投票受付画面Ｇ１又は投票入力画面Ｇ２と同一の画面に表示されるように構成する。その結果、会議参加者は、会議画像を確認して会議に参加しつつ、複数の候補画像Ｍに対する投票を行うことが可能になる。
【００８０】
（２）図３に示すように、第１実施形態では、ステップＳ２において、画像選出部１０が、複数の候補画像Ｍを選出する。しかし、本発明はこれに限定されない。ファシリテーターが任意に複数の候補画像Ｍを選出してもよい。例えば、ファシリテーターは、会議で主に使用された単語でインターネット検索を行い、インターネットで検索された画像を候補画像Ｍに決定する。この場合、インターネット検索を行うＰＣ（Ｐｅｒｓｏｎａｌ  Ｃｏｍｐｕｔｅｒ）のような検索装置を複数の投票部Ｙの各々に無線又は有線接続し、インターネットで検索により選出した複数の候補画像Ｍを示す情報を、検索装置から複数の投票部Ｙの各々に送信するように構成する。そして、複数の会議参加者は、それぞれ、複数の投票部Ｙを使用して、複数の候補画像Ｍに対する投票を行う。
【００８１】
また、検索キー入力部１１を電子黒板で構成し、ファシリテーターが電子黒板に複数の候補画像Ｍを手書きで入力するように構成してもよい。つまり、ファシリテーターが、会議の内容に基づいて複数の候補画像Ｍを作成する。手書きで入力された複数の候補画像Ｍを示す情報は、電子黒板から複数の投票部Ｙの各々に送信される。そして、複数の会議参加者は、それぞれ、複数の投票部Ｙを使用して、複数の候補画像Ｍに対する投票を行う。
【００８２】
（３）第１実施形態では、複数の候補画像Ｍの得票数のランキングに基づいて、複数の候補画像Ｍのうちから決定部２２が会議画像を決定する。しかし、本発明はこれに限定されない。例えば、ファシリテーターがランキングを考慮して、複数の候補画像Ｍのうちから会議画像を決定してもよい。その結果、ファシリテーターの意見を反映した会議画像を決定することができる。
【００８３】
（４）第１実施形態では、会議が行われている状態で、複数の候補画像Ｍに対する投票が行われる。その結果、会議を円滑に進行させることが可能になる。しかし、本発明はこれに限定されない。複数の候補画像Ｍに対する投票が行われる間、会議が中断されてもよい。つまり、会議の途中で、複数の候補画像Ｍに対する投票を行うために会議が中断される。そして、複数の候補画像Ｍに対する投票が終了すると、会議が再開される。その結果、会議参加者が会議に気を取られることなく投票に集中することができる。
【００８４】
（５）投票入力画面Ｇ２に表示される複数の候補画像Ｍの各々について、候補画像Ｍに並記するように、候補画像Ｍの検索キー、及び／又は、評価関数の評点が表示されてもよい。その結果、会議参加者が複数の候補画像Ｍに対する投票を行う際、候補画像Ｍの検索キー、及び／又は、評価関数の評点を参考にして投票を行うことができる。
【００８５】
（６）図３に示すステップＳ８において、算出部２１が算出した複数の候補画像Ｍの得票数のランキングを示す情報は、第１記憶部１２に記憶されてもよい。つまり、ランキングを示す情報が議事録として記憶される。また、ランキングを示す情報のみならず、どのような属性を有する人がどの候補画像Ｍに投票したかを示す投票情報も、ランキングを示す情報と共に記憶されてもよい。属性は、例えば、投票者の年齢、性別、氏名、及び／又は職業を示す。その結果、会議の終了後、例えば、議事録に基づいて会議を回想する場合、投票情報を基に多様な観点から回想することが可能になる。また、どのような属性を有する人がどの候補画像Ｍに投票したかを示す投票情報が、会議中に、会議画像表示装置Ｚ、及び／又は、複数の投票部Ｙの各々の表示部４１に表示されてもよい。
【００８６】
また、複数の候補画像Ｍに対する投票が行われる際、例えば、投票操作部４３を介してコメントを入力できるように構成してもよい。コメントは、投票を行う会議参加者が入力する。なお、コメントを示す情報は、議事録として第１記憶部１２に記憶されてもよく、サーバー、又はクラウドに記憶されてもよい。つまり、コメントを示す情報が議事録として記憶される。また、会議中に、会議画像表示装置Ｚ、及び／又は、複数の投票部Ｙの各々の表示部４１に、コメントが表示されてもよい。その結果、会議参加者に会議に対する共通認識を持たせ、会議での議論を活性化することが可能になる。
【００８７】
（７）第１実施形態では、複数の会議参加者が複数の候補画像Ｍに対する投票を行った。しかし、本発明はこれに限定されない。複数の会議参加者、及び／又は、複数の会議傍聴者が複数の候補画像Ｍに対する投票を行ってもよい。この場合、複数の候補画像Ｍに対して、複数の会議参加者、及び／又は、複数の会議傍聴者が行った投票の結果を示す情報を、第１通信部３０が受信する。また、複数の会議傍聴者が複数の候補画像Ｍに対する投票を行う場合、複数の会議傍聴者は、それぞれ、複数の投票部Ｙを所持する。その結果、複数の会議参加者の意見、及び／又は、複数の会議傍聴者の意見を反映した会議画像を決定することができる。
【産業上の利用可能性】
【００８８】
本発明は、情報処理装置、会議支援システム、会議支援方法、及び画像形成装置の分野に利用可能である。
【符号の説明】
【００８９】
１      会議支援システム
２      画像形成装置
１０    画像選出部
１１    検索キー入力部
１２    第１記憶部（記憶部）
１２ａ  検索情報
１３    選出部
２０    画像決定部
２１    算出部
２２    決定部
３０    第１通信部
４１    表示部
４２    切替操作部
４３    投票操作部
４６    第２通信部
１４０  画像形成部
Ｇ１    投票受付画面
Ｇ２    投票入力画面
Ｍ      候補画像
Ｘ      情報処理装置
Ｙ      投票部
【図１】
2019095902.tif 000003
【図２】
2019095902.tif 000004
【図３】
2019095902.tif 000005
【図４】
2019095902.tif 000006